(57)【要約】【課題】  トレイに設けたラックにモーターによって回転駆動されるギアが噛み合って搬入・搬出が行われるディスク装置であって、トレイの往復スライドを利用してトラバースユニットの上下動を行うようにしたディスク装置の提供。【解決手段】  トレイ１１の側面にはリブ１８を設けると共に、該リブ１８にはガイド溝１５を形成し、トラバースユニット２３の概略コ形をしたトラバースホルダー２５のアーム先端の軸ボス３０を支点として該トラバースユニットを保持するフレームに軸支し、そしてトラバースホルダー２５にはガイドボス３２を外方向へ突出し、このガイドボス３２を上記ガイド溝１５に遊嵌している。【選択図】    図６
2005267776.tif 000002
【特許請求の範囲】
【請求項１】
トレイに設けたラックにモーターによって回転駆動されるギアが噛み合って搬入・搬出が行われるディスク装置において、上記トレイの側面にはリブを設けると共に該リブにはガイド溝を形成し、トラバースユニットの概略コ形をしたトラバースホルダーのアーム先端に形成した軸ボスを支点として該トラバースユニットを保持するフレームに軸支し、シャーシ後方端はゴムなどの弾性材から成る繋ぎ材にて支持され、そしてトラバースホルダーにはガイドボスを外方向へ突出し、このガイドボスを上記ガイド溝に遊嵌し、トレイが後退して装置内に収納される時にはトラバースユニットが上昇してトレイ上のディスクをターンテーブルに装着可能としたことを特徴とするトレイを備えたディスク装置。
【請求項２】
トレイ上面と平行に一直線状に延びる直線ガイド溝部と、トレイ上面付近に形成される係合ガイド溝部、及び上記直線ガイド溝部と係合ガイド溝部とを繋ぐ傾斜ガイド溝が連続することで上記ガイド溝を構成した請求項１記載のトレイを備えたディスク装置。
【発明の詳細な説明】
【技術分野】
【０００１】
本発明はトラバースユニットの上下動手段として、トレイの往復スライドを利用したディスク装置に関するものである。
【背景技術】
【０００２】
ディスク装置ではディスクをターンテーブルに装着して回転することで、記録・再生が行われるが、上記ターンテーブルへの装着手段には色々ある。最も代表的な装着手段は、トレイを用いる方法であり、装置の正面に設けた開口から出入りするトレイにディスクをセットして装置内へ搬入し、上記ターンテーブルに装着される。すなわち、トレイに載ったディスクは装置内に搬入して、ターンテーブルとクランパーとの間に挟まれて回転し、回転と共にピックアップが移動して記録情報の再生が行われる。
【０００３】
又、装置正面に設けた開口からディスクを直接挿入することで、装置内に設けている引き込み装置により引き込まれてターンテーブルに装着することも出来る。この引き込み装置にも色々あり、開口奥の両側にベルトを取付けてディスクを挟み、該ベルトの走行と共にディスクを引き込むことが出来る。一方、回転ローラーを装着してディスクを挟み、該ローラーの回転と共に装置内へ引き込むように構成したディスク装置も知られている。
【０００４】
ところで、ターンテーブルへの何れの装着手段であっても、ディスクが装置内へ搬入される場合に、該ターンテーブルが中央に位置していたのではディスクが該ターンテーブルと干渉してしまう。従って、ターンテーブル及びターンテーブルを回転駆動するスピンドルモーター、ディスクの記録信号情報を読み取るピックアップ装置はトラバースユニットに装着され、該トラバースユニットは一方を支点として揺動できるように取付けられ、装置内に搬入されたディスクが所定の位置に達したところで、トラバースユニットは揺動・上昇してディスクをクランパーとの間で挟み込んで装着することが出来る。
【０００５】
特開平９−１０６６０２号に係る「ディスク搬送機構」は、トレイと、信号読取部等を備えたトラバースユニットと、前記トレイ及びトラバースユニットを個別に連続して駆動する駆動装置と、同駆動装置に連係して前記トレイを出し入れする第１連係手段と、前記トラバースユニットを上下移動する第２連係手段と、前記トレイ収容時に同トレイの位置を規制する第１規制手段及び前記トラバースユニットの上下移動を規制する第２規制手段とを設けてなる光ディスク装置のディスク搬送機構であって、前記第２規制手段は、前記本体に設けた係止部と、同係止部に対応して前記第２連係手段の一部に一体的に形成した係止爪及び同係止爪を付勢する付勢手段と、前記係止爪を解放する解放手段とから成っている。
【０００６】
すなわち、トラバースユニットは基端部を支点として上下動するが、トラバースユニットの前方端に設けている突片が左右方向にスライドする移動杆の溝に遊嵌している。該トラバースユニットのこのような上下動機構は従来から一般に行われている装置であり、ディスク装置には上記移動杆が必要となる。そして、該移動杆は左右方向へスライドさせる駆動装置が必要と成って構造は複雑化し、又左右方向の移動を行うことでディスク装置のキャビネットの幅寸法は大きく成ってしまう。
【特許文献１】特開平９−１０６６０２号に係る「ディスク搬送機構」
【発明の開示】
【発明が解決しようとする課題】
【０００７】
このようにディスク装置のトラバースユニット駆動手段には上記のごとき問題がある。本発明が解決しようとする課題はこの問題点であり、トレイの往復スライドに伴ってトラバースユニットが上下動するように構成するディスク装置を提供する。
【課題を解決するための手段】
【０００８】
本発明に係るディスク装置はディスクをセットして搬入・搬出するトレイを備え、該トレイの往復スライド運動に伴ってトラバースユニットが上下動することが出来るように構成している。従って、従来の上下動手段をして用いられている移動杆は不要となる。そこで、トレイの側面にはガイド溝が形成され、トラバースユニットのトラバースホルダーには上記ガイド溝に遊嵌するガイドボスを設けている。
【０００９】
そして、トラバースホルダーの両側から延びるアーム先端には軸ボスを設けていて、該トラバースユニットはトレイのスライドに伴って軸ボスを中心に揺動し、前方側を上下動することが出来る。又、トラバースユニットのシャーシ後方端はキャビネットとゴムなどの弾性材で構成する繋ぎ材を介して連結され、前方端はトラバースホルダーと繋ぎ材を介して連結されている。
【発明の効果】
【００１０】
本発明に係るディスク装置では、トラバースユニットの上下動がトレイの往復スライド運動によって行われる。従って、従来のように左右方向にスライドする移動杆(スライドカム)が不要となり、部品点数の削減によるコストダウンを図ることが出来る。又、移動杆を左右方向へスライドさせる駆動手段も要らなくなることから構造は簡略化し、組立て工数も小さくなる。そして、上記移動杆が要らない為に、ディスク装置はコンパクト化される。特に、左右方向へスライドする移動杆が無いことでキャビネットの幅寸法を縮小できる。
【実施例】
【００１１】
図１はディスク装置を示す外観図である。正面中央部にはディスクを載置して出し入れするトレイ１１が突出し、また複数のプッシュボタン１２ａ，１２ｂ・・が備わっている。ここで、上記プッシュボタン１２ａ，１２ｂ・・の機能は特に限定することはないが、例えばディスク装置の場合、１２ａは再生ボタン、１２ｂは早戻しボタン、１２ｃは早送りボタン、１２ｄはスキップボタン、１２ｅはトレイオープン／クローズボタンとして機能させることが出来る。
【００１２】
そして、プッシュボタン１２ａ，１２ｂ・・の配置は自由であり、フロントパネルの外観要素の１つとしてデザインされる。ここで、ディスク装置の正面には化粧板１３が貼着され、この化粧板１３は同図に示しているようにキャビネット１４と同じ大きさを成し、キャビネット１４の縁が表面化しないことでディスク装置の正面意匠が向上するデザインとなっている。
【００１３】
同図に示すトレイ１１はディスク交換位置に突出しているが、該トレイ１１にディスクをセットして搬入されるならば、トレイ１１の搬入動作に伴ってトラバースユニットが上昇してターンテーブルにディスクが装着される。そこで、トレイ１１の側面にはガイド溝１５が形成され、該ガイド溝１５にトラバースユニットに設けているガイドボスが遊嵌することになる。
【００１４】
図２はトレイを単独で示しているが、上面にはディスクがセットされるように円形凹部１６が形成され、又下面側には一直線に延びるラック１７を設けている。そして、モーターにて回転駆動されるギアが上記ラック１７と噛合い、該モーターの回転にてトレイ１１は定められた距離をスライドすることで、ディスク交換位置とディスク再生位置間を往復動する。
【００１５】
そして、トレイ１１の両側にはリブ１８，１８を設け、このリブ１８，１８にはガイド溝１５，１５が形成されている。ガイド溝１５はトレイ上面１９に平行を成す直線ガイド溝部２０、傾斜ガイド溝部２１、及び係合ガイド溝部２２から成り、これら各ガイド溝部２０，２１，２２は連続している。上記直線ガイド溝部２０はリブ１８の下側に形成され、係合ガイド溝部２２は上面側に形成されている。
【００１６】
図３はトラバースユニット２３を示す概略図である。トラバースユニット２３は金属製のシャーシ２４と概略コ形をした樹脂製のトラバースホルダー２５から成り、該シャーシ２４とトラバースホルダー２５はゴム製の繋ぎ材２６，２６にて連結されている。シャーシ２４にはターンテーブル２７が取付けられ、又２本のガイドレール３４，３４が平行に設けられ、このガイドレール３４，３４には光ピックアップ２８がスライド可能に取付けられている。
【００１７】
上記光ピックアップ２８にはラック(図示なし)が取付けられ、該ラックにはモーターで回転駆動されるギアが噛合って、ギアが回転することで光ピックアップ２８は両ガイドレール３４，３４に沿って移動する。そして、上記概略コ形のトラバースホルダー２５のアーム２９の先端には軸ボス３０，３０が外方向へ突出し、又、アーム基部にはガイド３１，３１を起立し、ガイド上端にはガイドボス３２，３２を外方向へ突出している。
【００１８】
ところで、シャーシ２４の後端はキャビネットにゴム製の繋ぎ材を介して連結され、トラバースホルダー２５の軸ボス３０，３０はトラバースユニットを保持するフレームの軸受けに嵌って支持され、ガイドボス３２，３２はトレイ１１に設けているガイド溝１５，１５に遊嵌する。そこで、トレイ１１がスライドすることでガイドボス３２，３２は上下動し、トラバースユニット２３は軸ボス３０，３０を支点として揺動すると共に、前方側(トラバースホルダー側)は上下動することが出来る。
【００１９】
図４、図５はトレイ１１とトラバースユニット２３との関係を示す側面図であり、図４はトレイ１１が突出してディスク交換位置にある場合を、図５はトレイ１１が後退してディスク装置内に収納され、ディスク再生位置にある場合を示している。トレイ１１がディスク装置のフロント開口から突出している場合には、ガイドボス３２は直線ガイド溝部２０に遊嵌されている。
【００２０】
トレイ１１が後退スライドしても、ガイドボス３２が直線ガイド溝部２０に遊嵌されている場合にはトラバースユニット２３は降下したままである。そして、該トレイ１１が後退スライドして傾斜ガイド溝部２１に遊嵌されるならば、ガイドボス３２が上昇してトラバースユニット２３も上昇する。
【００２１】
そして図５に示すようにトレイ１１が後退してディスク装置内の再生位置に収納されたならば、ガイドボス３２は係合ガイド溝部２２に遊嵌してトラバースユニット２３の前方側は上昇して水平になる。トレイ１１の上面に形成している円形凹部１６にはディスクがセットされ、トラバースユニット２３が降下している為に、ターンテーブル２７にディスクが接触することなく後退スライドすることが出来る。
【００２２】
そして、トレイ１１がディスク再生位置に近づいたところでガイドボス３２は傾斜ガイド溝部２１に差し掛かったところからトラバースユニット２３は上昇を開始する。この位置は、ディスクの中央穴がターンテーブル２７に近づいたところで、さらにトレイ１１が後退してガイドボス３２が係合ガイド溝部２２に遊嵌したところで、ターンテーブル２７はディスク中央穴に嵌って、ディスクはターンテーブル２７に装着される。
【００２３】
図６(ａ)はディスク装置からトレイ１１が突出した場合、(ｂ)はトレイ１１が収納されている場合の側面図を示している。トレイ１１が突出している場合には、トラバースユニット２３が降下していて、装置上部に取付けられているクランパー３３とターンテーブル２７との間には空間が形成され、トレイ１１にセットされたディスクは該空間を通過して装置内のディスク再生位置まで搬入される。
【００２４】
そして、再生位置ではターンテーブル２７に装着されたディスクは上記クランパー３３との間に挟まれる。このように、トラバースユニット２３はトレイ１１の往復スライドに伴って上下動することが出来、従来のような特別な移動杆を必要としない。
【図面の簡単な説明】
【００２５】
【図１】ディスク装置の正面斜視図。
【図２】トレイの実施例。
【図３】トラバースユニットの実施例。
【図４】トレイが突出している場合のトラバースユニットとの関係。
【図５】トレイが収納されている場合のトラバースユニットとの関係。
【図６】(ａ)はトレイが突出しているディスク装置の側面図、(ｂ)はトレイが収納されているディスク装置の側面図。
【符号の説明】
【００２６】
11  トレイ
12  プッシュボタン
13  化粧板
14  キャビネット
15  ガイド溝
16  円形凹部
17  ラック
18  リブ
19  上面
20  直線ガイド溝部
21  傾斜ガイド溝部
22  係合ガイド溝部
23  トラバースユニット
24  シャーシ
25  トラバースホルダー
26  繋ぎ材
27  ターンテーブル
28  光ピックアップ
29  アーム
30  軸ボス
31  ガイド
32  ガイドボス
33  クランパー
34  ガイドレール
【図１】
2005267776.tif 000003
【図２】
2005267776.tif 000004
【図３】
2005267776.tif 000005
【図４】
2005267776.tif 000006
【図５】
2005267776.tif 000007
【図６】
2005267776.tif 000008